【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
所定の図柄が形成された複数の回胴を回転させ、回転停止後の停止態様に基づいて遊技者に利益を付与可能にし、
遊技制御処理として、遊技動作の進行に関する制御を行うメイン処理と、所定時間毎に実行制御可能な割込み処理とを有して構成された遊技機において、
前記メイン処理において、所定の回転開始条件が成立したことに基づいて、各回胴に対応して起動情報を設定する起動手段と、
前記割込み処理において、前記起動手段により設定された起動情報に基づいて、各回胴に対応する駆動信号を出力する回転制御手段と、を有し、
前記起動手段および前記回転制御手段の実行により各回胴の回転開始動作を行い、
前記起動手段は、一の回胴に対応する起動情報を設定した後、所定期間待機する待機処理を実行し、該待機処理を終えた後に、つぎの回胴に対応する起動情報を設定するように構成され、
回転開始時の開始態様に対応して前記所定期間として異なる期間を設定可能に構成したことを特徴とする遊技機。
【請求項２】
前記所定期間として「０」を設定可能にした請求項１に記載の遊技機。
【請求項３】
前記所定期間は、所定の乱数値に基づいて決定される請求項１又は２に記載の遊技機。
【請求項４】
前記起動情報の設定は、各回胴共通のサブルーチンを実行することにより行われる請求項１、２又は３に記載の遊技機。
【請求項５】
前記起動情報の設定は、前記割込み処理の実行を禁止した割込み禁止状態において行われる請求項１〜４のいずれかに記載の遊技機。
【請求項６】
前記待機処理は、所定のタイマ値を設定して、該タイマ値に基づく実行回数の前記割込み処理が実行されたことを条件に、その処理を終える請求項１〜５のいずれかに記載の遊技機。
【手続補正２】
【補正対象書類名】明細書
【補正対象項目名】０００５
【補正方法】変更
【補正の内容】
【０００５】
演出補助手段としての液晶表示装置や音響発生装置（スピーカ）等は、内部抽選を司る主制御部の管理下にある副制御部により制御されている。副制御部により行う演出制御は主制御部とは別個に行われるので、主制御部に対するプログラム処理上の負担をかけることはない。しかしながら、上記遅れ始動等の回胴回転演出を実行する場合には、回胴回転制御を主制御部により行う必要があるため、回転演出処理の実行に伴って主制御部へのプログラム容量に負担をかけるという問題を生じた。
【手続補正３】
【補正対象書類名】明細書
【補正対象項目名】０００６
【補正方法】変更
【補正の内容】
【０００６】
本発明の目的は、主制御部に対する制御負担を与えることなく回胴回転演出を円滑に実行することのできる遊技機を提供することにある。
【手続補正４】
【補正対象書類名】明細書
【補正対象項目名】０００７
【補正方法】変更
【補正の内容】
【０００７】
本発明の上記目的は、下記の態様により達成される。
本発明に係る第１の形態は、
所定の図柄が形成された複数の回胴を回転させ、回転停止後の停止態様に基づいて遊技者に利益を付与可能にし、
遊技制御処理として、遊技動作の進行に関する制御を行うメイン処理と、所定時間毎に実行制御可能な割込み処理とを有して構成された遊技機において、
前記メイン処理において、所定の回転開始条件が成立したことに基づいて、各回胴に対応して起動情報を設定する起動手段と、
前記割込み処理において、前記起動手段により設定された起動情報に基づいて、各回胴に対応する駆動信号を出力する回転制御手段と、を有し、
前記起動手段および前記回転制御手段の実行により各回胴の回転開始動作を行い、
前記起動手段は、一の回胴に対応する起動情報を設定した後、所定期間待機する待機処理を実行し、該待機処理を終えた後に、つぎの回胴に対応する起動情報を設定するように構成され、
回転開始時の開始態様に対応して前記所定期間として異なる期間を設定可能に構成したことを特徴とする遊技機である。
本発明においては、少なくとも一つの回胴を回転駆動する回胴駆動手段と、所定の抽選確率に基づいて役の抽選を行う役抽選手段と、前記回胴駆動手段を起動して通常回転させ前記役抽選手段の抽選結果に基づいて前記回胴を停止させる回胴停止制御手段とを有する遊技機において、前記抽選結果に応じて、前記通常回転と異なる態様で、少なくとも一つの前記回胴を特別回転駆動する特別回転演出の実行有無を決定し、前記決定に基づき前記特別回転駆動する回胴回転制御手段を設け、前記回胴回転制御手段には前記回胴駆動手段に対する前記通常回転の起動時設定処理及び前記特別回転演出の起動時設定処理を前記回胴毎に行う起動時設定手段を設けることができる。
【手続補正５】
【補正対象書類名】明細書
【補正対象項目名】０００８
【補正方法】変更
【補正の内容】
【０００８】
本発明に係る第１の形態によれば、前記メイン処理及び前記割込み処理による遊技制御処理機能を備えた遊技機において、前記起動手段により、前記メイン処理において、所定の回転開始条件が成立したことに基づいて、各回胴に対応して起動情報を設定し、前記回転制御手段により、前記割込み処理において、設定された該起動情報に基づいて、各回胴に対応する駆動信号を出力することによって、各回胴の回転開始動作が行われ、前記起動手段は、一の回胴に対応する起動情報を設定した後、所定期間待機する待機処理を実行し、該待機処理を終えた後に、つぎの回胴に対応する起動情報を設定するように構成され、回転開始時の開始態様（例えば、回胴回転演出に使用される始動遅れ態様）に対応して前記所定期間として異なる期間を設定可能に構成したので、該所定期間をフリーズ期間とした回胴回転演出を、前記遊技制御処理機能を司る主制御部に対する制御負担を与えることなく円滑に実行することができる。
前記回胴回転制御手段により、前記抽選結果に応じて、前記通常回転と異なる態様で前記特別回転演出の実行有無を決定し、前記決定に基づき前記特別回転駆動させ、前記起動時設定手段により、前記回胴駆動手段に対する前記通常回転の起動時設定処理及び前記特別回転演出の起動時設定処理を前記回胴毎に行うことによって、前記回胴の起動後、前記起動時設定手段により前記回胴毎に設定された設定内容に従って各回胴を前記通常回転駆動又は前記特別回転駆動させることができる。従って、少なくとも前記役抽選手段及び前記回胴停止制御手段を統括制御する主制御部をマイクロコンピュータにより構成する遊技機においては、前記起動時設定手段によって、起動時に前記複数個の回胴の夫々に対し前記決定に基づいて、前記通常回転のみと、前記特別回転演出を経て通常回転させる設定を行えるため、前記主制御部に対する制御負担を与えることなく、回胴の特別回転演出制御を円滑に実行することができる。
本発明に係る回胴には例えば前記役の成立に必要な図柄や絵柄が外周面に形成されたリールあるいはドラム状の回転体を使用することができる。回胴駆動手段には回胴を回転駆動する駆動モータ、例えば、図柄単位での移動が可能なステッピングモータ等のパルスモータを使用することができる。本発明における特別回転演出態様としては、例えば、回胴の逆回転、スロー回転あるいは駒送り回転の他、通常回転と異なる変則的な回転演出態様を使用することができる。
【手続補正６】
【補正対象書類名】明細書
【補正対象項目名】０００９
【補正方法】変更
【補正の内容】
【０００９】
本発明に係る遊技機には、一回の回胴遊技に必要な遊技媒体の投入又は設定をしたとき、回胴を始動操作する始動操作手段と、前記始動操作に応じて前記回胴を起動して正回転させたとき、前記回胴の停止を指示する回胴停止操作手段と、役抽選手段の抽選によりが所定の役に当選したとき、前記回胴停止操作手段の停止操作タイミングに応じて、当選役が成立するように前記回胴を停止可能にした回胴式遊技機に適用することができる。また、主制御部の管理下にある特別図柄表示装置を備え、遊技盤面の所定の領域を遊技球を通過することにより大当たり抽選を行い、大当たり当選時には前記特別図柄表示装置により大当たり発生を表示するパチンコ機にも適用することができ、この場合には、特別図柄表示装置として回胴を使用して、大当たり告知を該回胴の逆転駆動により報知することができる。
【手続補正７】
【補正対象書類名】明細書
【補正対象項目名】００１１
【補正方法】変更
【補正の内容】
【００１１】
本発明においては、複数個の回胴の回転制御を行う前記回胴回転制御手段を主制御部に設けても、前記起動時設定手段による回胴毎の起動時設定により、搭載される遊技形態に関係なく、前記主制御部に対する制御負担の削減を図ることができる。例えば、上記特典遊技を付与する場合においては、前記主制御部から抽選結果に基づく遊技情報を受けて、前記遊技情報に関連した関連情報の報知制御を少なくとも視覚的及び／又は聴覚的に遊技者に報知する報知制御を行う副制御部において、抽選処理に関連した制御を主として行う前記主制御部に制御上の負担をかけることなく、液晶表示装置、各種ランプ等の演出表示装置による前記遊技情報に関連した関連情報の報知制御を行うことができる。例えば、停止操作順報知型ＡＴ遊技を特典遊技として付与する場合には、前記副制御部に前記遊技情報に関連した関連情報の報知制御の一環として前記停止操作順報知の制御を組み込むことにより、前記主制御部における抽選処理と密接に関連して停止操作順報知型ＡＴ遊技を円滑に実行することができる。あるいは、当選役種別報知型ＡＴ遊技を特典遊技として付与する場合には、前記副制御部に前記遊技情報に関連した関連情報の報知制御の一環として前記当選役種別の報知制御を組み込むことにより、前記主制御部における抽選処理と密接に関連して当選役種別報知型ＡＴ遊技を円滑に実行することができる。
【手続補正８】
【補正対象書類名】明細書
【補正対象項目名】００１２
【補正方法】変更
【補正の内容】
【００１２】
更に、本発明は、上記回胴式遊技機の他に、始動操作に基づき回胴を可変表示して役抽選結果に基づく自動停止制御を行うカジノ用遊技機にも適用することができる。カジノ用遊技機においては、本発明を適用することにより、例えば、特別の役が当選したとき、少なくとも一つの回胴を通常回転時より遅延させた後、通常回転させて特別の役の成立出目で自動停止させるなどの前記特別回転態様による役成立報知機能を搭載させることができる。
【手続補正９】
【補正対象書類名】明細書
【補正対象項目名】００１３
【補正方法】変更
【補正の内容】
【００１３】
本発明に係る第２の形態は、第１の形態において、前記所定期間として「０」を設定可能にした遊技機である。
前記起動時設定手段において、回胴の回転開始前に、前記特別回転演出の実行なしの決定時に前記回胴毎に前記通常回転駆動を設定し、又は前記特別回転演出の実行ありの決定時には前記回胴毎に前記特別回転駆動を設定することができる。
【手続補正１０】
【補正対象書類名】明細書
【補正対象項目名】００１４
【補正方法】変更
【補正の内容】
【００１４】
本発明に係る第２の形態によれば、前記所定期間として「０」を設定することにより、１又は２以上の回胴を始動遅れなく回転させる開始態様を円滑に実行することができる。
前記起動時設定手段により、回胴の回転開始前に、前記特別回転演出の実行なしの決定時に前記回胴毎に前記通常回転駆動を設定し、又は前記特別回転演出の実行ありの決定時には前記回胴毎に前記特別回転駆動を設定することによって、起動時に前記複数個の回胴の夫々に対し、前記通常回転駆動のみと、前記特別回転駆動を経て前記通常回転駆動させる設定を行え、前記主制御部に対する制御負担を与えることなく、回胴の特別回転演出を円滑に実行することができる。
【手続補正１１】
【補正対象書類名】明細書
【補正対象項目名】００１５
【補正方法】変更
【補正の内容】
【００１５】
本発明に係る第３の形態は、第１又は第２の形態において、前記所定期間は、所定の乱数値に基づいて決定される遊技機である。
本発明において、前記通常回転又は前記特別回転の回転態様に応じて、回胴の起動順及び／又は起動タイミングの回胴起動条件を設定する回胴起動条件設定手段を設け、前記起動時設定手段により、各回胴に設定された前記回胴起動条件に基づき、回胴毎の起動時設定処理を行うことができる。
【手続補正１２】
【補正対象書類名】明細書
【補正対象項目名】００１６
【補正方法】変更
【補正の内容】
【００１６】
本発明に係る第３の形態によれば、前記所定期間は、所定の乱数値に基づいて決定されることにより、種々のフリーズ期間を有した多様な開始態様を円滑に実行して遊技興趣の増大に寄与することができる。
前記回胴起動条件設定手段により前記通常回転又は前記特別回転の回転態様に応じて、前記複数個の回胴に必要な前記回胴の起動順及び／又は前記起動タイミングの回胴起動条件を予め設定しておき、該設定された前記回胴起動条件に基づいて、起動時に前記起動時設定手段により、前記複数個の回胴の夫々に対し、前記通常回転の起動時設定処理及び前記特別回転演出の起動時設定処理を前記回胴毎に行うことによって、前記主制御部に対する制御負担を与えることなく、回胴の特別回転演出を円滑に実行することができる。
前記起動順の回胴起動条件の設定により、回胴の始動順序が通常回転時と異なる特別回転演出を出現させることができ、また、前記起動タイミングの回胴起動条件の設定により、通常回転より始動を遅延させる始動遅れ回転態様の特別回転演出を出現させることができる。
【手続補正１３】
【補正対象書類名】明細書
【補正対象項目名】００１７
【補正方法】変更
【補正の内容】
【００１７】
本発明に係る第４の形態は、第１、第２又は第３の形態において、前記起動情報の設定は、各回胴共通のサブルーチンを実行することにより行われる遊技機である。
本発明において、前記特別回転演出には複数種の特別回転パターンが含まれ、前記回胴回転制御手段は前記複数種の特別回転パターンのうちいずれかを決定することができる。
【手続補正１４】
【補正対象書類名】明細書
【補正対象項目名】００１８
【補正方法】変更
【補正の内容】
【００１８】
本発明に係る第４の形態によれば、前記起動情報の設定は、各回胴共通のサブルーチンを実行することにより行われるので、主制御部に対する制御負担を軽減して回胴回転演出を円滑に実行することができる。
前記回胴回転制御手段により、前記複数種の特別回転演出パターンのうちいずれかを決定することによって、前記複数種の特別回転演出パターンのいずれかによる特別回転演出を前記起動時設定手段により起動時に回胴毎に設定し、前記主制御部に対する制御負担を与えることなく、複数種の特別回転演出を円滑に実行して回胴を用いた遊技の興趣増大を図ることができる。
本発明の特別回転演出態様としては、回転始動を通常回転より遅延させる始動遅れ回転態様の他、複数個の回胴のうち少なくとも一つを選択して回胴回転演出を行う回転演出態様であれよく、例えば、通常回転と逆方向に回転させる逆回転態様、通常回転より低速に回転させるスロー回転態様、回胴を駒送り回転させる駒送り回転態様等を使用することができる。また、係る特別回転演出態様には、回転態様のみに限らず、例えば、遊技の進行を停止する遊技進行停止状態（所謂、フリーズ状態）を経て回胴の逆回転、スロー回転、始動遅れ回転あるいは駒送り回転を行う複合回転演出態様を使用して、遊技機の興趣を向上させることができる。
【手続補正１５】
【補正対象書類名】明細書
【補正対象項目名】００１９
【補正方法】変更
【補正の内容】
【００１９】
本発明に係る第５の形態は、第１〜第４のいずれかの形態において、前記起動情報の設定は、前記割込み処理の実行を禁止した割込み禁止状態において行われる遊技機である。
前記複数種の特別回転パターンには前記回胴の回転の始動遅れ時間が異なる始動遅れ回転態様を使用することができる。
【手続補正１６】
【補正対象書類名】明細書
【補正対象項目名】００２０
【補正方法】変更
【補正の内容】
【００２０】
本発明に係る第５の形態によれば、前記起動情報の設定を前記割込み禁止状態において確実に行うことにより、主制御部に対する制御負担を与えることなく回胴回転演出をより円滑に実行することができる。
前記複数種の逆回転演出パターンとして、前記回胴の回転の始動遅れ時間が異なる始動遅れ回転態様を使用することによって、前記始動遅れ時間が異なる前記複数種の遅れ始動演出のいずれかによる回胴回転演出を、前記起動時設定手段により、前記回胴の起動時に設定し、前記主制御部に対する制御負担を与えることなく、複数種の回胴の遅れ始動演出を円滑に実行して回胴を用いた遊技の興趣増大を図ることができる。
【手続補正１７】
【補正対象書類名】明細書
【補正対象項目名】００２１
【補正方法】変更
【補正の内容】
【００２１】
本発明に係る第６の形態は、第１〜第５のいずれかの形態において、前記待機処理は、所定のタイマ値を設定して、該タイマ値に基づく実行回数の前記割込み処理が実行されたことを条件に、その処理を終える遊技機である。
前記複数種の特別回転パターンには前記複数個の回胴の回転の始動順序が異なる始動順序演出態様を使用することができる。
【手続補正１８】
【補正対象書類名】明細書
【補正対象項目名】００２２
【補正方法】変更
【補正の内容】
【００２２】
本発明に係る第６の形態によれば、前記待機処理は、所定のタイマ値を設定して、該タイマ値に基づく実行回数の前記割込み処理が実行されたことを条件に、その処理を終えることによって、該待機処理の期間（フリーズ期間）を確実に設定することができるので、主制御部に対する制御負担を与えることなく回胴回転演出をより円滑に実行することができる。
前記複数種の逆回転演出パターンとして、前記複数個の回胴の回転の始動順序が異なる始動順序演出態様を使用することによって、前記始動順序が異なる始動順序演出を、前記起動時設定手段により前記複数個の回胴の起動時に設定し、前記主制御部に対する制御負担を与えることなく、前記複数個の回胴の始動順序演出制御を円滑に実行して回胴を用いた遊技の興趣増大を図ることができる。
【手続補正１９】
【補正対象書類名】明細書
【補正対象項目名】００２３
【補正方法】変更
【補正の内容】
【００２３】
本発明において、前記複数種の特別回転パターンには単一又は複数の回胴を逆回転させる逆回転演出態様を使用することができる。
【手続補正２０】
【補正対象書類名】明細書
【補正対象項目名】００２４
【補正方法】変更
【補正の内容】
【００２４】
前記複数種の逆回転演出パターンとして、単一又は複数の回胴を逆回転させる逆回転演出態様を使用することによって、前記単一又は複数の回胴を逆回転させる逆回転演出態様の演出を、前記起動時設定手段により、回胴の起動時に設定し、前記主制御部に対する制御負担を与えることなく、回胴の逆回転演出を円滑に実行して回胴を用いた遊技の興趣増大を図ることができる。
【手続補正２１】
【補正対象書類名】明細書
【補正対象項目名】００２５
【補正方法】変更
【補正の内容】
【００２５】
本発明は、一回の回胴遊技に必要な遊技媒体（遊技メダル、コイン、遊技球等）の投入又は設定をしたとき、回胴を始動操作する始動操作手段と、前記始動操作に応じて前記回胴を起動して通常回転させたとき、前記回胴の停止を指示する回胴停止操作手段とを備え、役抽選手段の抽選により所定の役に当選したとき、前記回胴停止操作手段の停止操作タイミングに応じて、当選役が成立するように前記回胴停止制御手段により前記回胴を停止可能にした遊技機であって、回胴回転演出を実行した後、前記通常回転駆動を行って前記回胴停止操作手段による停止操作を可能にした回胴式遊技機に適用することができる。
【手続補正２２】
【補正対象書類名】明細書
【補正対象項目名】００２６
【補正方法】変更
【補正の内容】
【００２６】
前記回胴式遊技機に本発明を適用して、前記回胴回転演出を実行した後、通常回転駆動を行って前記回胴停止操作手段による停止操作を可能にすることによって、前記起動時設定手段により前記回胴回転演出を前記回胴の起動時に設定し、主制御部に対する制御負担を与えることなく、回胴回転演出を円滑に実行して興趣を高揚させることのできる回胴式遊技機を実現することができる。
【手続補正２３】
【補正対象書類名】明細書
【補正対象項目名】００２７
【補正方法】変更
【補正の内容】
【００２７】
本発明によれば、回胴式遊技機やパチンコ機において、主制御部に対する制御負担を与えることなく、始動遅れ回転等の回胴回転演出を円滑に実行して興趣を高揚させることができる。